(57)【要約】【課題】記録紙の両面に画像を形成する場合に画像を形成する位置を直感的に操作可能な操作端末及びその制御方法、並びにプログラムを提供する。【解決手段】操作端末５００は、画像形成部５０２により記録紙の両面に画像を形成した場合に、記録紙の一方の面に形成される第１画像と、他方の面に形成される画像を左右反転させた第２画像とを合成させた合成画像を生成する。そして、生成された合成画像を液晶ディスプレイ６３４に表示させる。さらに、第１タッチスクリーン６０１に対するユーザによる操作から、第１画像の移動量を算出するとともに、第２タッチスクリーン６０２に対するユーザによる操作から、第２画像の移動量を算出する。次いで、算出された移動量から、第１画像、及び第２画像を移動させて液晶ディスプレイ６３４に表示させる。【選択図】図３
2014010474.tif 000002
【特許請求の範囲】
【請求項１】
表示部と組み合わされた第１タッチスクリーンと、第２タッチスクリーンとを備え、記録紙の両面に画像を形成可能な画像形成部と通信可能な操作端末であって、
前記画像形成部により前記記録紙の両面に画像を形成した場合に、前記記録紙の一方の面に形成される第１画像と、他方の面に形成される画像を左右反転させた第２画像とを合成させた合成画像を生成する生成手段と、
前記生成手段に生成された合成画像を前記表示部に表示させる第１表示手段と、
前記第１タッチスクリーンに対するユーザによる操作から、前記第１表示手段により表示された前記第１画像の移動量を算出するとともに、前記第２タッチスクリーンに対するユーザによる操作から、前記第１表示手段により表示された前記第２画像の移動量を算出する算出手段と、
前記算出手段により算出された移動量から、前記第１画像、及び前記第２画像を移動させて前記表示部に表示させる第２表示手段と
を備えたことを特徴とする操作端末。
【請求項２】
前記画像形成部により画像を形成する場合に、前記算出手段により算出された移動量を前記画像形成部に送信する送信手段をさらに備えたことを特徴とする請求項１記載の操作端末。
【請求項３】
前記生成手段は、前記第１画像と、透過率を変更した前記第２画像とを合成することを特徴とする請求項１または請求項２記載の操作端末。
【請求項４】
前記第１タッチスクリーンに対するユーザによる操作及び前記第２タッチスクリーンに対するユーザによる操作はドラッグ操作であることを特徴とする請求項１乃至請求項３のいずれか１項に記載の操作端末。
【請求項５】
前記第２表示手段によって表示された移動後の第１画像及び第２画像に基づく画像形成を、前記画像形成部に指示する指示手段を有することを特徴とする請求項１乃至請求項４のいずれか１項に記載の操作端末。
【請求項６】
表示部と組み合わされた第１タッチスクリーンと、第２タッチスクリーンとを備え、記録紙の両面に画像を形成可能な画像形成部と通信可能な操作端末の制御方法であって、
前記画像形成部により前記記録紙の両面に画像を形成した場合に、前記記録紙の一方の面に形成される第１画像と、他方の面に形成される画像を左右反転させた第２画像とを合成させた合成画像を生成する生成ステップと、
前記生成ステップに生成された合成画像を前記表示部に表示させる第１表示ステップと、
前記第１タッチスクリーンに対するユーザによる操作から、前記第１表示ステップにより表示された前記第１画像の移動量を算出するとともに、前記第２タッチスクリーンに対するユーザによる操作から、前記第１表示ステップにより表示された前記第２画像の移動量を算出する算出ステップと、
前記算出ステップにより算出された移動量から、前記第１画像、及び前記第２画像を移動させて前記表示部に表示させる第２表示ステップと
を備えたことを特徴とする制御方法。
【請求項７】
表示部と組み合わされた第１タッチスクリーンと、第２タッチスクリーンとを備え、記録紙の両面に画像を形成可能な画像形成部と通信可能な操作端末の制御方法をコンピュータに実行させるためのプログラムであって、
前記制御方法は、
前記画像形成部により前記記録紙の両面に画像を形成した場合に、前記記録紙の一方の面に形成される第１画像と、他方の面に形成される画像を左右反転させた第２画像とを合成させた合成画像を生成する生成ステップと、
前記生成ステップに生成された合成画像を前記表示部に表示させる第１表示ステップと、
前記第１タッチスクリーンに対するユーザによる操作から、前記第１表示ステップにより表示された前記第１画像の移動量を算出するとともに、前記第２タッチスクリーンに対するユーザによる操作から、前記第１表示ステップにより表示された前記第２画像の移動量を算出する算出ステップと、
前記算出ステップにより算出された移動量から、前記第１画像、及び前記第２画像を移動させて前記表示部に表示させる第２表示ステップと
を備えたことを特徴とするプログラム。
【請求項８】
前記画像形成部により画像を形成する場合に、前記算出ステップにより算出された移動量を前記画像形成部に送信する送信ステップをさらに備えたことを特徴とする請求項７記載のプログラム。
【請求項９】
前記生成ステップは、前記第１画像と、透過率を変更した前記第２画像とを合成することを特徴とする請求項７または請求項８記載のプログラム。
【請求項１０】
前記第１タッチスクリーンに対するユーザによる操作及び前記第２タッチスクリーンに対するユーザによる操作はドラッグ操作であることを特徴とする請求項７乃至請求項９のいずれか１項に記載のプログラム。
【請求項１１】
前記第２表示ステップによって表示された移動後の第１画像及び第２画像に基づく画像形成を、前記画像形成部に指示する指示ステップを有することを特徴とする請求項７乃至請求項１０のいずれか１項に記載のプログラム。
【発明の詳細な説明】
【技術分野】
【０００１】
本発明は、操作端末及びその制御方法、並びにプログラムに関する。
【背景技術】
【０００２】
オフィスやコンビニなどの公共の場において使用されるプリンタなどの画像形成装置は、デジタルカメラや携帯端末のカメラ機能で撮影した写真画像やインターネットよりダウンロードした文書データ等を印刷する機能を有している。
【０００３】
また近年、スマートフォンやタブレットＰＣに代表される携帯端末は、ＰＣとほぼ同等の機能を有することで高級化が進み、携帯端末でユーザが行う作業もＰＣと変わらなくなってきている。
【０００４】
従って、携帯端末においても文書データや写真画像を作成したり編集する機会が増え、今後は携帯端末自身で作成したり編集した文書データや写真画像の印刷が一層増えることが予想される。
【０００５】
一方、画像形成装置には両面印刷の機能は一般的に搭載されており、さらに印刷結果を事前にチェックするためにプレビュー機能が標準で搭載されている。
【０００６】
上記両面印刷に関する技術が開示されている（例えば、特許文献１参照）。特許文献１に開示された両面印刷時のプレビュー画像の一例を示す。
【０００７】
図１０は、従来技術における両面印刷時のプレビュー画像を示す図であり、（Ａ）は表面のページ画像を示し、（Ｂ）は裏面のページ画像を示し、（Ｃ）はプレビュー画像を示している。
【０００８】
従来の画像形成装置は、（Ｃ）に示されるように、表面に印刷されるページ画像と、裏面に印刷されるページ画像の反転画像を重ねたプレビュー画像を表示する。
【０００９】
このように印刷時にプレビューを行うことによって、どのように印刷されるかをユーザが確認できるようになっている。画像調整などの編集操作が必要な場合は、ユーザはプレビュー画像を用いて画像位置調整などを行うことで印刷される画像を確認することができる。
【００１０】
上記画像位置調整をスマートフォンやタブレットＰＣに代表される携帯端末で操作する場合、プレビュー画像はタッチパネル方式のスクリーン（以下、「タッチスクリーン」という）で行うことが一般的で、ドラッグ操作などの直感的な操作が可能である。
【先行技術文献】
【特許文献】
【００１１】
【特許文献１】特開２０１１−１７０８７６号公報
【発明の概要】
【発明が解決しようとする課題】
【００１２】
しかしながら、スマートフォンやタブレットＰＣに代表される携帯端末で扱う文書データや写真画像は、原稿サイズや印刷フォーマットは様々である為、印刷データによっては画像調整の操作が難しくなる場合がある。
【００１３】
例えば、表面のページ画像と、裏面のページ画像の原稿サイズが異なる場合を例に示す。
【００１４】
図１１は、従来技術における裁断マークを含むプレビュー画像を示す図であり、（Ａ）は表面のページ画像を示し、（Ｂ）は裏面のページ画像を示し、（Ｃ）はプレビュー画像を示している。
【００１５】
（Ａ）においては、左上裁断マーク２００、右上裁断マーク２０１、左下裁断マーク２０２、右下裁断マーク２０３によって決定される矩形の裁断位置２０４が設定されている。
【００１６】
一方、（Ｂ）においては、左上裁断マーク２１０、右上裁断マーク２１１、左下裁断マーク２１２、右下裁断マーク２１３によって決定される矩形の裁断位置２１４が設定されている。
【００１７】
（Ｃ）に示すプレビュー画像は、初期設定のプレビュー画像として、表面のページ画像の左上と、裏面のページ反転画像の左上が合わされて表示される場合を示している。
【００１８】
この場合、（Ｃ）に示されるように、裏面のページ反転画像の右端が、表面の裁断位置２０４の外側にはみ出してしまう場合がある。
【００１９】
図１２は、印刷結果を示す図であり、（Ａ）は初期設定のままで印刷した場合の表面の印刷結果を示し、（Ｂ）は裏面の印刷結果を示している。
【００２０】
（Ｂ）に示す通り、このままでは裏面の左端が削除されたり、画像全体が中央から左上にずれているので、裏面画像の位置調整が必要になる。
【００２１】
このような両面印刷のプレビュー画像の位置調整をタッチスクリーン上で行う場合、表面と裏面の位置調整を、１つのタッチスクリーンで操作する為、表面と裏面のどちらをタッチスクリーンで操作するのかを指定する必要がある。
【００２２】
また、１つのタッチスクリーンのみで操作する為、指でタッチしている領域の画像が隠れてしまい、プレビュー画像を確認できない場合がある。
【００２３】
本発明の目的は、記録紙の両面に画像を形成する場合に画像を形成する位置を直感的に操作可能な操作端末及びその制御方法、並びにプログラムを提供することにある。
【課題を解決するための手段】
【００２４】
上記目的を達成するために、請求項１の操作端末は、表示部と組み合わされた第１タッチスクリーンと、第２タッチスクリーンとを備え、記録紙の両面に画像を形成可能な画像形成部と通信可能な操作端末であって、前記画像形成部により前記記録紙の両面に画像を形成した場合に、記録紙の一方の面に形成される第１画像と、他方の面に形成される画像を左右反転させた第２画像とを合成させた合成画像を生成する生成手段と、前記生成手段に生成された合成画像を前記表示部に表示させる第１表示手段と、前記第１タッチスクリーンに対するユーザによる操作から、前記第１表示手段により表示された前記第１画像の移動量を算出するとともに、前記第２タッチスクリーンに対するユーザによる操作から、前記第１表示手段により表示された前記第２画像の移動量を算出する算出手段と、前記算出手段により算出された移動量から、前記第１画像、及び前記第２画像を移動させて前記表示部に表示させる第２表示手段とを備えたことを特徴とする。
【発明の効果】
【００２５】
本発明によれば、記録紙の両面に画像を形成する場合に画像を形成する位置を直感的に操作可能な操作端末及びその制御方法、並びにプログラムを提供することができる。
【図面の簡単な説明】
【００２６】
【図１】本発明の実施の形態に係る画像形成装置の概略構成を示す図である。
【図２】図１における第１タッチスクリーン及び第２タッチスクリーンでの本実施の形態に係る画像位置調整の操作例を説明するための図である。
【図３】図１における操作端末、及び画像形成部により実行されるプレビュー処理の手順を示すフローチャートである。
【図４】（Ａ）は、表面のプレビュー画像の一例を示す図であり、（Ｂ）は、裏面のプレビュー画像の一例を示す図である。
【図５】画像調整が必要なプレビュー画像の表示例を示す図である。
【図６】（Ａ）は、表面のプレビュー画像と第１タッチスクリーンとの対応を示す図であり、（Ｂ）は裏面のプレビュー画像と第２タッチスクリーンとの対応を示す図である。
【図７】表面の用紙中央マークと、裏面の用紙中央マークとの相対位置が一致している場合の液晶ディスプレイに表示されるプレビュー画像の一例を示す図である。
【図８】図１におけるメモリの初期設定の表面のプレビュー画像、及び裏面のプレビュー画像、並びに画像調整後の表面のプレビュー画像、及び裏面のプレビュー画像についてのそれぞれの記憶領域を示す図である。
【図９】（Ａ）は、画像位置調整後の表面の印刷結果を示す図であり、（Ｂ）は、画像位置調整後の裏面の印刷結果を示す図である。
【図１０】従来技術における両面印刷時ののプレビュー画像を示す図であり、（Ａ）は表面のページ画像を示し、（Ｂ）は裏面のページ画像を示し、（Ｃ）はプレビュー画像を示している。
【図１１】従来技術における裁断マークを含むプレビュー画像を示す図であり、（Ａ）は表面のページ画像を示し、（Ｂ）は裏面のページ画像を示し、（Ｃ）はプレビュー画像を示している。
【図１２】印刷結果を示す図であり、（Ａ）は初期設定のままで印刷した場合の表面の印刷結果を示し、（Ｂ）は裏面の印刷結果を示している。
【発明を実施するための形態】
【００２７】
以下、本発明の実施の形態について図面を参照しながら詳述する。
【００２８】
図１は、本発明の実施の形態に係る画像形成装置１の概略構成を示す図である。
【００２９】
図１において、画像形成装置１は、操作端末５００、及び画像形成部５０２で構成される。
【００３０】
操作端末５００は、主に画像形成部５０２でのプレビュー画像を表示するなど、画像形成部５０２に対する操作のために用いられるが、同図に示されるように画像形成部５０２とは装置構成的には分離されている。また、画像形成部５０２は、用紙などの記録紙の両面に画像を形成可能であり、操作端末５００と通信可能となっている。なお、以下の説明では、画像を形成することを単に印刷と表現する。
【００３１】
操作端末５００は、操作制御部６０５、第１タッチスクリーン６０１、表示部としての液晶ディスプレイ６３４、第２タッチスクリーン６０２、メモリ６０７、ネットワーク通信部６０９ａ、及びアンテナ６１０ａを備えている。
【００３２】
操作制御部６０５は、ＣＰＵ、フラッシュメモリなどの不揮発性記憶装置などを備え、操作端末５００を制御するプログラムがフラッシュメモリに記憶されており、そのプログラムに従って操作端末５００を制御する。また、操作制御部６０５は、上記フラッシュメモリに予め記憶されている操作画面情報が示す画面を液晶ディスプレイ６３４に表示し、この画面に対してユーザが操作を行うことで、画像形成部５０２への印刷指示などを含む種々の処理を行うことができる。上記第１タッチスクリーンは液晶ディスプレイ６３４に組み合わされている。
【００３３】
メモリ６０７には、例えば第１タッチスクリーン６０１、及び第２タッチスクリーン６０２においてタッチされた座標、プレビュー画像、及びその他情報が記憶される。
【００３４】
ユーザは、第１タッチスクリーン６０１及び第２タッチスクリーン６０２に対する操作を各々独立して行うことが可能である。また、ユーザは、第１タッチスクリーン６０１及び第２タッチスクリーン６０２に対して、例えばタッチ・ドラッグ・ピンチ・フリック・スワイプといったスクリーン操作が可能であり、それら操作により画像形成部５０２の操作も可能である。
【００３５】
さらに、表面のプレビュー画像と裏面のプレビュー画像とが合成された画像に対し、第１タッチスクリーン６０１は、表面のプレビュー画像の画像位置調整に用いられ、第２タッチスクリーン６０２は、裏面のプレビュー画像の画像位置調整に用いられる。
【００３６】
ユーザは、第１タッチスクリーン６０１及び第２タッチスクリーン６０２での画像位置調整を同時に行うことができる。
【００３７】
第１タッチスクリーン６０１及び第２タッチスクリーン６０２に対してユーザにより操作された内容は、第１タッチスクリーン６０１及び第２タッチスクリーン６０２から操作制御部６０５に逐次送信される。
【００３８】
ネットワーク通信部６０９ａは、例えばＷＬＡＮ通信方式によってアンテナ６１０ａを用いて他の機器と通信を行うものであり、本実施の形態では特に画像形成部５０２との通信で用いられる。このように、画像形成部５０２は、操作端末５００と通信可能な画像処理装置である。
【００３９】
画像形成部５０２との間では、主に画像データ、印刷データ、及び操作指示を行うためのメニュー表示など、画像形成部５０２からのデータや、画像形成部５０２へ印刷を要求するコマンドなど、操作端末５００からのデータが通信される。
【００４０】
また、操作端末５００には、図示していないがカメラが備わっており、このカメラで撮影することで得られた画像データをメモリ６０７に記憶することができる。
【００４１】
画像形成部５０２は、ＣＰＵ６２１、ＲＯＭ６２２、画像処理部６１２、プレビュー画像生成部６１３、メモリ６１６、プリンタ部６１７、スキャナ部１２３、ネットワーク通信部６０９ｂ、メモリ制御部６１４、及びアンテナ６１０ｂを備えており、これらはバス６１１で接続されている。
【００４２】
ＣＰＵ６２１は、ＲＯＭ６２２に記憶された、画像形成部５０２を制御するためのプログラムに従って画像形成部５０２を制御する。ＲＯＭ６２２は、フラッシュメモリなど不揮発性の記憶装置であり、上述したプログラムに加え、各種情報が記憶されている。
【００４３】
メモリ制御部６１４は、メモリ６１６を制御し、メモリ６１６は、画像データの記憶や、ＣＰＵ６２１のワークエリアとして用いられる。
【００４４】
画像処理部６１２は、画像データに対して予め定められた処理を行う。例えば、画像処理部６１２は、操作端末５００からの印刷設定に従って画像処理を行う。画像処理部６１２において画像処理された画像データは、メモリ６１６へ記憶される。
【００４５】
プレビュー画像生成部６１３は、メモリ６１６に記憶された画像処理後の画像データを読み出し、第１タッチスクリーン６０１に表示するためのプレビュー画像を生成する。
【００４６】
プリンタ部６１７は、メモリ６１６に記憶された画像処理後の画像データを読み出し、例えば電子写真方式のプリンタであれば、画像データに従ってＰＷＭ変調によって感光像担持体に潜像形成するレーザパルスを生成する。感光像担持体に潜像形成された画像は、用紙に転写された後に定着されて画像形成部５０２から出力される。
【００４７】
スキャナ部１２３は、読み取りセンサにより原稿を読み取り、デジタルデータ化した画像データをメモリ６１６に記憶する。
【００４８】
メモリ６１６に記憶された画像データは画像処理部６１２で各種画像処理を施された後にプレビュー画像が生成され、生成されたプレビュー画像はメモリ６１６に記憶される。
【００４９】
操作端末５００にプレビュー画像を表示する場合は、メモリ６１６に記憶されているプレビュー画像が操作端末５００に送信される。
【００５０】
なお、バス６１１において、ＣＰＵ６２１、ネットワーク通信部６０９ｂ、画像処理部６１２、プレビュー画像生成部６１３、プリンタ部６１７、及びスキャナ部１２３がバス６１１におけるバスマスタになることができる。
【００５１】
図２は、図１における第１タッチスクリーン６０１及び第２タッチスクリーン６０２での本実施の形態に係る画像位置調整の操作例を説明するための図である。
【００５２】
上述したように画像形成装置１は、表面のプレビュー画像を操作するタッチスクリーン方式の第１タッチスクリーン６０１と、裏面のプレビュー画像を操作する第２タッチスクリーン６０２を備えている。
【００５３】
また、液晶ディスプレイ６３４には、表面のプレビュー画像と裏面のプレビュー画像を合成して、合成したプレビュー画像が表示される。
【００５４】
図２おいて、ユーザが画像位置調整を行う際に、例えば操作端末５００の第１タッチスクリーン６０１に親指をタッチし、第２タッチスクリーン６０２に対してそれ以外の指を用いたドラッグ操作などの操作を行うことができる。
【００５５】
ユーザは液晶ディスプレイ６３４に表示されるプレビュー画像を確認しながら、第１タッチスクリーン６０１において親指による表面の操作を行い、裏面の操作を親指以外の指によって第２タッチスクリーン６０２で操作する。
【００５６】
表面の操作と裏面の操作とを同時に行うことで、ユーザが、あたかも用紙の両端を掴みながら操作する感覚で、操作端末５００の両端を掴みながら、表面と裏面の画像位置調整を行うことができる。
【００５７】
図３は、図１における操作端末５００、及び画像形成部５０２により実行されるプレビュー処理の手順を示すフローチャートである。
【００５８】
なお、このプレビュー処理では、操作端末５００では操作制御部６０５のＣＰＵにより制御され、画像形成部５０２ではＣＰＵ６２１に制御されることで実行される。
【００５９】
まず、両面印刷に必要な設定が行われる（ステップＳ１０１）。ここでの設定内容などについては後述する。設定された内容は、画像形成部５０２に送信される。そして、設定された内容に従って、画像形成部５０２が画像処理を行う（ステップＳ１０２）。ここでの画像処理については後述する。
【００６０】
次いで、画像形成部５０２は、両面印刷出力の表面のプレビュー画像、及び裏面のプレビュー画像を生成する（ステップＳ１０３）。ここでの生成の詳細については後述する。生成された表面のプレビュー画像、及び裏面のプレビュー画像は、操作端末５００に送信される。表面のプレビュー画像、及び裏面のプレビュー画像を受信した操作端末５００は、それらをメモリ６０７に記憶する。
【００６１】
次いで、操作端末５００は、表面のプレビュー画像、及び裏面のプレビュー画像を合成する（ステップＳ１０４）。ここでの合成の詳細については後述する。
【００６２】
そして、合成したプレビュー画像を液晶ディスプレイ６３４に表示する（ステップＳ１０５）。ここでの表示例については後述する。
【００６３】
表示されたプレビュー画像に対し、ユーザによって画像調整するか否か入力されるので、画像調整を行うか否か判別する（ステップＳ１０６）。
【００６４】
ステップＳ１０６の判別の結果、画像調整を行うときは（ステップＳ１０６でＹＥＳ）、第１タッチスクリーン６０１を、表面のプレビュー画像の画像位置調整のために割り当てる。そして、第２タッチスクリーン６０２を、裏面のプレビュー画像の画像位置調整のために割り当てる（ステップＳ１０７）。ここでの割り当てについては後述する。
【００６５】
次いで、ユーザによる画像位置調整に従って、画像位置を調整し（ステップＳ１０８）、ステップＳ１０６に戻る。ここでの調整については後述する。
【００６６】
一方、ステップＳ１０６の判別の結果、画像調整を行わないときは（ステップＳ１０６でＮＯ）、ステップＳ１０９に進む。
【００６７】
このステップＳ１０９では、まず表面及び裏面のプレビュー画像の移動量が画像形成部５０２に送信される。上記ステップＳ１０８で調整されたときには、そこでの移動量が送信され、調整がなかったときは、移動量が０として送信される。そして、画像形成部５０２は、移動量に応じて画像処理を行う（ステップＳ１０９）。ここでの画像処理については後述する。
【００６８】
次いで、操作端末の第１タッチスクリーンに表示された印刷指示ボタンがユーザによって押下（タッチ）されるのに応じて、操作端末は画像処理部に対して印刷開始指示を送信する。操作端末から印刷開始指示を受信した画像形成部は、画像処理後の画像データである移動後の画像データに応じて、プリンタ部６１７が印刷し（ステップＳ１１０）、本処理を終了する。
【００６９】
以上説明した各ステップについて説明する。まず、ステップＳ１０１での両面印刷に関わる設定は、両面印刷の種類や、原稿及び印刷出力の開き方などの設定である。
【００７０】
両面印刷の種類の設定では、ユーザは、片面原稿より両面印刷、両面原稿より片面出力、両面印刷より両面印刷、見開き原稿より両面印刷、などの種類を選択する。
【００７１】
また、原稿及び印刷出力の開き方では、ユーザは原稿や印刷出力がそれぞれ、左右開き、上下開きであるかを、原稿や印刷出力の形態に合わせて選択する。
【００７２】
さらにユーザは、頁数、部数、カラー選択（例えば白黒印刷、カラー印刷、自動選択など）、及びその他必要な設定を行うことができる。
【００７３】
次いで、ステップＳ１０２の画像処理について説明する。画像処理部６１２は、メモリ６１６に記憶されている原稿の画像データを読み出し、設定に従って画像処理を行う。画像処理された画像データはタッチスクリーン６０１及びタッチスクリーン６０２にプレビュー表示させるＲＧＢ色空間の画像形式で画像処理部６１２より出力され、メモリ６１６に記憶される。
【００７４】
次いで、ステップＳ１０３の生成について説明する。
【００７５】
図４（Ａ）は、表面のプレビュー画像の一例を示す図であり、（Ｂ）は、裏面のプレビュー画像の一例を示す図である。
【００７６】
（Ａ）、及び（Ｂ）に示すプレビュー画像は、表面の画像に予め設定された裁断位置に合わせて印刷する場合についての例を示している。
【００７７】
プレビュー画像生成部６１３は、画像処理後の画像データをメモリ６１６より読み出し、第１タッチスクリーン６０１に表示する解像度に合わせて解像度変換を行う。
【００７８】
（Ａ）に示されるように、表面のプレビュー画像には、裁断位置との相対位置が解るように、左上裁断マーク２００、右上裁断マーク２０１、左下裁断マーク２０２、右下裁断マーク２０３、及び裁断位置２０４が付加される。また、表面の中央位置との相対位置が解るように、用紙中央マーク２０５が付加される。
【００７９】
一方、（Ｂ）に示されるように、裏面のプレビュー画像には、裏面の中央位置との相対位置が解るように、用紙中央マーク２１５が付加される。
【００８０】
裁断位置や中央位置のマークが付加された表面のプレビュー画像と、裏面のプレビュー画像は、それぞれメモリ６１６の別領域に記憶される。
【００８１】
次いで、ステップＳ１０４の合成について説明する。操作制御部６０５は、上述したように、表面のプレビュー画像と、裏面のプレビュー画像を画像形成部５０２から受信し、メモリ６０７へ記憶する。
【００８２】
メモリ６０７へ記憶する表面のプレビュー画像と、裏面のプレビュー画像データはそれぞれ別のアドレス領域に区別され記憶される。
【００８３】
裏面のプレビュー画像は、ユーザが表面のプレビュー画像との相対位置が解るように、左右対称で反転される。操作制御部６０５は、メモリ６０７に記憶されている裏面のプレビュー画像を左右反転させる。
【００８４】
そして操作制御部６０５は、メモリ６０７の異なるアドレス領域に記憶されている表面のプレビュー画像と左右反転した裏面のプレビュー画像とを合成する。合成する際には、操作制御部６０５は、第１タッチスクリーン６０１に表示する際に、表面と裏面の区別をし易いように、裏面のプレビュー画像の透過率を変更して、表面のプレビュー画像と合成する。
【００８５】
このように、ステップＳ１０４は、画像形成部５０２により記録紙の両面に画像を形成した場合に、記録紙の一方の面に形成される第１画像と、他方の面に形成される画像を左右反転させた第２画像とを合成させた合成画像を生成する生成手段に対応する。ここで、記録紙の一方の面は表面に対応している。第１画像は、表面のプレビュー画像に対応している。他方の面は、裏面に対応している。第２画像は、裏面のプレビュー画像に対応している。
【００８６】
次いで、ステップＳ１０５の表示例について説明する。
【００８７】
図５は、画像調整が必要なプレビュー画像の表示例を示す図である。
【００８８】
図５において、表面の用紙中央マーク２０５と、裏面の用紙中央マーク２１５との相対位置が、左右方向で“１０”画素、上下方向で“５”画素ずれている場合が示されている。
【００８９】
このプレビュー画像は両面印刷の設定に従って画像処理した結果、ずれが生じたものである。この設定の場合、裏面のページ反転画像の右端が、表面の裁断位置２０４の外側にはみ出してしまうこととなる。
【００９０】
このままの設定の状態で印刷した場合には、図１２（Ａ）、（Ｂ）に示されるように、裏面の左端が削除されることとなる。また、画像全体が中央からずれているので、裏面画像の位置調整が必要になる。上記ステップＳ１０５は、生成された合成画像を液晶ディスプレイ６３４に表示させる第１表示手段に対応する。
【００９１】
次いで、ステップＳ１０７における割り当てについて説明する。
【００９２】
図６（Ａ）は、表面のプレビュー画像と第１タッチスクリーン６０１との対応を示す図であり、（Ｂ）は裏面のプレビュー画像と第２タッチスクリーン６０２との対応を示す図である。
【００９３】
同図に示されるように、第１タッチスクリーン６０１は、表面のプレビュー画像の画像位置調整のために割り当てられ、第２タッチスクリーン６０２は、裏面のプレビュー画像の画像位置調整のために割り当てられる。
【００９４】
次いで、ステップＳ１０８の調整について説明する。ユーザが第１タッチスクリーン６０１で指をタッチ、ドラッグ、ピンチ動作などを行うと、操作制御部６０５は、第１タッチスクリーン６０１より、スクリーン操作情報を操作制御信号として受信する。
【００９５】
操作制御部６０５は、第１タッチスクリーン６０１からのスクリーン操作情報を解析して、表面のプレビュー画像の画像位置移動量を算出する。
【００９６】
そして算出した画像位置移動量を元に、メモリ６０７に記憶されている表面のプレビュー画像を読み出し、画像調整を行った後に、メモリ６０７の別領域に記憶する。
【００９７】
一方、ユーザが第２タッチスクリーン６０２で指をタッチ、ドラッグ、ピンチ動作などを行うと、操作制御部６０５は、第２タッチスクリーン６０２より、スクリーン操作情報を操作制御信号として受信する。
【００９８】
操作制御部６０５は、第２タッチスクリーン６０２からのスクリーン操作情報を解析して、裏面のプレビュー画像の画像位置移動量を算出する。このように、ステップＳ１０８は、第１タッチスクリーン６０１に対するユーザによる操作から、第１画像の移動量を算出するとともに、第２タッチスクリーン６０２に対するユーザによる操作から、第２画像の移動量を算出する算出手段に対応する。
【００９９】
そして算出した画像位置移動量を元に、メモリ６０７に記憶されている裏面のプレビュー画像を読み出し、画像調整を行った後に、メモリ６０７の別領域に記憶する。
【０１００】
例えば、図５で示したように、表面の用紙中央マーク２０５と、裏面の用紙中央マーク２１５との相対位置が、左右方向で“１０”画素、上下方向で“５”画素ずれている場合について説明する。
【０１０１】
図７は、表面の用紙中央マーク２０５と、裏面の用紙中央マーク２１５との相対位置が一致している場合の液晶ディスプレイ６３４に表示されるプレビュー画像の一例を示す図である。
【０１０２】
図７において、ユーザは第１タッチスクリーン６０１に表示されるプレビュー画像を確認しながら、表面に対する操作を第１タッチスクリーン６０１、裏面に対する操作を第２タッチスクリーン６０２においてそれぞれ同時に行うことで、画像位置調整を行う。
【０１０３】
図７に示すように、表面の用紙中央マーク２０５と、裏面の用紙中央マーク２１５との相対位置が一致させるために、ユーザが例えば表面では右方向で４画素、上方向で２画素だけ移動し、裏面は左方向で６画素、下方向で３画素だけ移動したとする。
【０１０４】
この場合、操作制御部６０５は、第１タッチスクリーン６０１より表面のプレビュー画像の画像位置移動量として、右方向で４画素、上方向で２画素という移動量を取得する。
【０１０５】
図８は、図１におけるメモリ６０７の初期設定の表面のプレビュー画像、及び裏面のプレビュー画像、並びに画像調整後の表面のプレビュー画像、及び裏面のプレビュー画像についてのそれぞれの記憶領域を示す図である。
【０１０６】
図８において、各プレビュー画像の記憶領域として、初期設定の表面のプレビュー画像には記憶領域１１００、初期設定の裏面のプレビュー画像には記憶領域１１０１が割り当てられている。
【０１０７】
同様に、画像調整後の表面のプレビュー画像には記憶領域１１０２、画像調整後の裏面のプレビュー画像には記憶領域１１０３が割り当てられている。
【０１０８】
操作制御部６０５は、メモリ６０７の記憶領域１１００に記憶されている初期設定の表面のプレビュー画像を読み出す。
【０１０９】
そして、第１タッチスクリーン６０１より取得した移動量である、右方向で４画素分、上方向で２画素分だけ移動して、メモリ６０７の記憶領域１１０２に記憶する。
【０１１０】
また、操作制御部６０５は、メモリ６０７の記憶領域１１０１に記憶されている初期設定の裏面のプレビュー画像を読み出す。
【０１１１】
そして、第２タッチスクリーン６０２より取得した移動量である、左方向で６画素分、下方向で３画素分だけ移動して、メモリ６０７の記憶領域１１０３に記憶する。
【０１１２】
次に操作制御部６０５は、画像調整後の表面のプレビュー画像と裏面のプレビュー画像を合成する。
【０１１３】
操作制御部６０５は、画像調整後の表面のプレビュー画像をメモリ６０７の記憶領域１１０２、裏面のプレビュー画像をメモリ６０７の記憶領域１１０３よりそれぞれ読み出す。
【０１１４】
合成する際には、操作制御部６０５は、設定されている透過率に従って、裏面のプレビュー画像の透過率を変更して合成する。
【０１１５】
操作制御部６０５により合成されたプレビュー画像は、ステップＳ１０８において調整され位置で液晶ディスプレイ６３４に表示されることとなる。このように、ステップＳ１０８は、算出された移動量から、第１画像、及び第２画像を移動させて液晶ディスプレイ６３４に表示させる第２表示手段に対応する。
【０１１６】
次いで、ステップＳ１０９の画像処理について説明する。上述したように、まず表面及び裏面のプレビュー画像の移動量が画像形成部５０２に送信される。従って、ステップＳ１０９は、画像形成部５０２により画像を形成する場合に、算出された移動量を画像形成部５０２に送信する送信手段に対応する。
【０１１７】
画像処理部６１２は、メモリ６１６に記憶されているＲＧＢ色空間の画像形式の表面と裏面の画像データを読み出す。
【０１１８】
画像処理部６１２は、操作端末５００より取得した移動量を元に、表面の画像データ及び裏面の画像データについて位置移動を行い、再びメモリ６１６に記憶する。
【０１１９】
図９（Ａ）は、画像位置調整後の表面の印刷結果を示す図であり、（Ｂ）は、画像位置調整後の裏面の印刷結果を示す図である。
【０１２０】
（Ｂ）に示す通り、裏面の左端が削除されたり、画像全体が中央からずれることなく、裏面画像全体が用紙内に収まっている。
【０１２１】
このように、図３の処理によれば、まず画像形成部５０２により記録紙の両面に画像を形成した場合に、記録紙の一方の面に形成される第１画像と、他方の面に形成される画像を左右反転させた第２画像とを合成させた合成画像を生成する。
【０１２２】
そして、生成された合成画像を液晶ディスプレイ６３４に表示させる。さらに、第１タッチスクリーン６０１に対するユーザによる操作から、第１画像の移動量を算出するとともに、第２タッチスクリーン６０２に対するユーザによる操作から、第２画像の移動量を算出する。
【０１２３】
次いで、算出された移動量から、第１画像、及び第２画像を移動させて液晶ディスプレイ６３４に表示させる。その結果、記録紙の両面に画像を形成する場合に画像を形成する位置を直感的に操作可能となっている。
【０１２４】
以上説明したように、本実施の形態に係る画像形成装置１は、両面印刷の表面のプレビュー画像、及び裏面のプレビュー画像の位置を調整する際に、ユーザは表面に対する操作を第１タッチスクリーン、裏面に対する操作を第２タッチスクリーンで行うことができる。
【０１２５】
画像位置調整の操作を表面と裏面とで独立して同時操作できるよう制御することで、タッチスクリーンを通してより直感的で解りやすい操作性を提供するという効果を奏する。
【０１２６】
尚、本実施形態では、操作端末として、画像形成部とともに画像形成装置１を構成する端末を例にあげたがこれに限らない。操作端末としては、例えば一般的にユーザに使用されているスマートフォンやタブレットＰＣ等の携帯端末も含まれる。
【０１２７】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１２８】
１  画像形成装置
５００  操作端末
５０２  画像形成部
６０１  第１タッチスクリーン
６０２  第２タッチスクリーン
６０５  操作制御部
６０７  メモリ
６２１  ＣＰＵ
６２２  ＲＯＭ
６１２  画像処理部
６１３  プレビュー画像生成部
６１６  メモリ
６１７  プリンタ部
６３４  液晶ディスプレイ
【図１】
2014010474.tif 000003
【図３】
2014010474.tif 000004
【図８】
2014010474.tif 000005
【図９】
2014010474.tif 000006
【図１２】
2014010474.tif 000007
【図２】
2014010474.tif 000008
【図４】
2014010474.tif 000009
【図５】
2014010474.tif 000010
【図６】
2014010474.tif 000011
【図７】
2014010474.tif 000012
【図１０】
2014010474.tif 000013
【図１１】
2014010474.tif 000014